(57)【要約】      （修正有）【課題】アルコールチェックを自主的に行い、簡易に電磁ロックを解錠可能な携帯鍵箱及びこれを用いた酒気帯び運転抑止システムを提供する。【解決手段】酒気帯び運転抑止システム１００は、形態鍵箱１０、スマートフォン２０、アルコール検知器３０を有し、アルコール検知器３０は、息を吹きかけることで、アルコールの度合いを検知してアルコール検知情報を出力し、スマートフォン２０に送信される。スマートフォン２０は、受信したアルコール検知情報から予め定められた値未満の場合のみ携帯鍵箱１０の電磁ロックをＱＲコード（登録商標）を用いて解錠し、収納されている自動車の鍵が取り出し可能となる。また、定められた値以上の場合は、ＱＲコード（登録商標）を用いることなく、解錠指令を出さず、電磁ロックは解錠されず、携帯鍵箱１０の中の自動車の鍵は取り出せない。【選択図】図２
0003228214.tif 000002
【実用新案登録請求の範囲】
【請求項１】
一または複数の物品を収納し、前記収納された前記一または複数の物品を管理する携帯鍵箱であって、
本体と、蓋と、前記本体と前記蓋を開閉する電磁ロックとを有し、
前記電磁ロックは、前記本体と前記蓋を施錠する施錠機能を有し、
前記電磁ロックは、前記施錠されている状態で前記施錠を、スマートフォンに表示されたＱＲコード（登録商標）を読み取ることにより解錠可能なように形成されていることを特徴とする携帯鍵箱。
【請求項２】
前記一または複数の物品は、自動車の鍵を含んでおり、
前記本体の内部と前記蓋の内部は、電磁波を遮蔽する部材で形成されたシールドで覆われていることを特徴とする請求項１に記載の携帯鍵箱。
【請求項３】
請求項２に記載の本体と、蓋と、シールドと、前記本体と前記蓋を施錠する施錠機能を有し前記施錠が、スマートフォンに表示されたＱＲコード（登録商標）を読み取ることにより解錠可能なように形成されており、自動車の鍵を含む一または複数の物品を収納する携帯鍵箱と、
呼気からのアルコールを検知しアルコール検知情報を前記携帯端末に送信するアルコール検知器と、を有し、
前記アルコール検知器は、呼気からのアルコールを検知し、前記検知されたアルコール検知情報を前記スマートフォンに送信し、
前記アルコール検知情報から予め定められた値未満の場合に、ＱＲコード（登録商標）を用いて前記携帯鍵箱の電磁ロックが解錠され、
前記アルコール検知情報から予め定められた値以上の場合に、ＱＲコード（登録商標）を用いることなく前記携帯鍵箱の電磁ロックが解錠されないことを特徴とする酒気帯び運転抑止システム。
【考案の詳細な説明】
【技術分野】
【０００１】
本考案は、携帯鍵箱及び酒気帯び運転抑止システムに関する。
【背景技術】
【０００２】
現在の点呼システムはドライバーがアルコールチェック後、対面する運行管理者が基準値内である事を確認後、車両の鍵等を授受しており、電話、インターネットなどによる遠隔地点呼も可能になっている。また、電子鍵の送信機となる携帯端末内で認証、酒気判定の処理をクローズドに行うことにより、車両鍵の登録者本人であり、かつ運転不適な酒気状態で無い場合のみ車両の鍵操作を可能とする車両電子鍵制御システムが開示されている。
【先行技術文献】
【特許文献】
【０００３】
【特許文献１】特開２００８−２９７７２１
【考案の概要】
【考案が解決しようとする課題】
【０００４】
上記の従来の技術において、電話、インターネットなどによる遠隔地点呼が可能になっているが、これらについては対面ということでなく、仕組みの上で脆弱性があり、例えば、点呼業務、遠隔地点呼について問題となっていた。例えば、トラック、タクシー業界では法的義務である点呼業務にアルコールチェックが含まれ自前車庫からの出庫についての始業点呼は徹底管理されているものの、出張時とか、協力会社からの出庫時の物理的に離れている遠隔地からの点呼については電話点呼とか、ＩＴ利用の点呼の仕組みはあるが、ドライバーは車両鍵を常に所持しているため、アルコールチェック結果が基準値外であっても無視して業務に従事する可能性があり、仕組みの脆弱性は否めない現状があった。また、公的機関、園児・高齢者など白ナンバーでの送迎車を運用している保有車５台未満の法的規制外の現場にも運転の安全性が求められ自主的な点呼が必要であるという問題があった。
【０００５】
上記のとおり、アルコールチェックを含む自主的な管理ができないという問題があり、例えば、アルコールチェックをした結果をスマートフォンに送信可能な検知器と、始業セット携帯鍵箱といえる携帯鍵箱を利用し、アルコール検知結果が基準値内であればスマートフォンで携帯鍵箱の鍵を開錠し始業を可能とさせ、同時に本部運行管理者等に結果を送信し、結果を共有することができるものが求められていた。また、上記のアルコールチェックをした結果をスマートフォンに送信可能な検知器と、始業セット携帯鍵箱といえる携帯鍵箱を利用し、アルコール検知結果が基準値内であればスマートフォンで携帯鍵箱の鍵を開錠し始業を可能とさせる方法としてより簡易なものが求められており、例えば、ＱＲコード（登録商標）を用いることも求められている。
【０００６】
そこで本考案は、このような課題を解決するためになされたもので、アルコール検知器、携帯電話、スマートフォンなどの携帯端末を用いてアルコールチェックを自主的に行い、検知結果をスマートフォンアプリで判定し携帯鍵箱の電磁ロックを、ＱＲコード（登録商標）を用いて簡易に解錠する機能を持つ自動車の鍵が入った携帯鍵箱及びこれを用いた酒気帯び運転抑止システムを提供することである。
【課題を解決するための手段】
【０００７】
上記課題を解決するために、本考案に係る携帯鍵箱は、一または複数の物品を収納し、前記収納された前記一または複数の物品を管理する携帯鍵箱であって、本体と、蓋と、前記本体と前記蓋を開閉する電磁ロックとを有し、前記電磁ロックは、前記本体と前記蓋を施錠する施錠機能を有し、前記電磁ロックは、前記施錠されている状態で前記施錠を、スマートフォンに表示されたＱＲコード（登録商標）を読み取ることにより解錠可能になるように形成されていることを特徴とする。
【０００８】
本考案に係る携帯鍵箱の態様について、前記一または複数の物品は、自動車の鍵を含んでおり、前記本体の内部と前記蓋の内部は、電磁波を遮蔽する部材で形成されたシールドで覆われていることが好ましい。
【０００９】
上記課題を解決するために、本考案に係る酒気帯び運転抑止システムは、上記の本体と、蓋と、シールドと、前記本体と前記蓋を施錠する施錠機能を有し前記施錠が、スマートフォンに表示されたＱＲコード（登録商標）を読み取ることにより解錠可能なように形成されており、自動車の鍵を含む一または複数の物品を収納する携帯鍵箱と、呼気からのアルコールを検知しアルコール検知情報を前記携帯端末に送信するアルコール検知器と、を有し、前記アルコール検知器は、呼気からのアルコールを検知し、前記検知されたアルコール検知情報を前記スマートフォンに送信し、前記アルコール検知情報から予め定められた値未満の場合に、ＱＲコード（登録商標）を用いて前記携帯鍵箱の電磁ロックが解錠され、前記アルコール検知情報から予め定められた値以上の場合に、ＱＲコード（登録商標）を用いることなく前記携帯鍵箱の電磁ロックが解錠されないことを特徴とする。
【考案の効果】
【００１０】
本考案によれば、アルコール検知器、携帯電話、スマートフォンなどの携帯端末を用いてアルコールチェックを自主的に行い、アルコール検知器の情報を、スマートフォンアプリで基準値を判定、基準値外であれば、携帯鍵箱の蓋が開かず、収納されている自動車の鍵が取れず、始業ができない携帯鍵箱及びこれを用いた酒気帯び運転抑止システムを提供することができる。
【図面の簡単な説明】
【００１１】
【図１】実施形態の携帯鍵箱の一例を示す模式図である。
【図２】実用新案の酒気帯び運転抑止システムの一例を示す模式図である。
【図３】実用新案の酒気帯び運転抑止システムにおいてＱＲコード（登録商標）を用いている一例を示す参考図である。
【考案を実施するための形態】
【００１２】
以下、実施形態の携帯鍵箱１０及びこれを用いた酒気帯び運転抑止システム１００について図１から図３を用いて説明する。図１（ａ）は、携帯鍵箱１０の本体１０ａと蓋１０ｂが、電磁ロック１０ｃで施錠されている状態を示している。図１（ｂ）は、携帯鍵箱１０の本体１０ａと蓋１０ｂが、電磁ロック１０ｃの解錠により開いており、本体１０ａの内部に収納されている自動車の鍵Ｋなどを取り出すことができる状態を示しており、また、本体１０ａ及び蓋１０ｂの内部は、外部からの電磁波を遮蔽するシールド１０ｄで覆われていることを示している。また、図２は、携帯鍵箱１０を用いて酒気帯び運転抑止システム１００の一例を示しており、この図においては、持ち運びする（始動セット管理箱）と記載している。さらに、図３は、実用新案の酒気帯び運転抑止システムにおいてＱＲコード（登録商標）を用いている一例を示す参考図である。
【００１３】
まず、携帯鍵箱１０について説明する。携帯鍵箱１０は、始業セット携帯鍵箱としても用いることができるものであり、一または複数の物品を収納して管理することができるように形成されている。携帯鍵箱１０は、本体１０ａと蓋１０ｂを有し、本体１０ａと蓋１０ｂを開閉する電磁ロック１０ｃを有している。
【００１４】
電磁ロック１０ｃは、施錠機能を有し、施錠されている状態でこの施錠が、外部からの信号により解錠可能なように形成されている。この施錠機能は、例えば非接触式電磁ロックであり、外部からの信号、例えば、携帯電話、スマートフォンなどの携帯端末からの信号で解錠できるものである。この例においては、電磁ロックは、施錠されている状態で施錠を、スマートフォンに表示されたＱＲコード（登録商標）を読み取ることにより解錠可能なように形成されている。
【００１５】
この例においては、上記の一または複数の物品は、自動車の鍵を含んでおり、後述するようにこの携帯鍵箱１０は、自己点呼が可能なように酒気帯び運転を抑止するための始業セット携帯鍵箱として用いるためのものでもある。なお、一または複数の物品は、給油カード、ＥＴＣカード、名札などがあるが適宜最適な物品を選択することができる。
【００１６】
携帯鍵箱１０に収納し管理する物品は、この例において、自動車の鍵が含まれており、機械的な鍵を使用せずにエンジンの始動などが可能なスマートキーの場合にも対応できるように、携帯鍵箱１０の本体１０ａと蓋１０ｂの内部には電磁波を遮蔽する部材で形成されたシールド１０ｄで覆われていることが望ましい。このシールド１０ｄは、例えば、薄膜ＰＥＴフィルムの表面に銅を真空蒸着してシールド層を形成したものである。
【００１７】
次に、携帯鍵箱１０を始業セット携帯鍵箱として用いた酒気帯び運転抑止システム１００について説明する。酒気帯び運転抑止システム１００は、本体１０ａと蓋１０ｂと施錠機能で電磁ロック１０ｃとシールド１０ｄを有し電磁ロック１０ｃによる施錠が外部からの信号により解錠可能なように形成されている携帯鍵箱１０と、携帯端末の一例であるスマートフォン２０と、アルコール検知器３０を有している。
【００１８】
携帯鍵箱１０は、上記のとおり自動車の鍵を含む一または複数の物品、例えば、給油カード、ＥＴＣカード、名札などを収納し管理するものである。アルコール検知器３０は、呼気からのアルコールを検知し、この検知されたアルコール検知情報を携帯端末の一例であるスマートフォン２０に送信するものである。
【００１９】
酒気帯び運転抑止システム１００は、この例において、本体と、蓋と、シールドと、本体と蓋を施錠する施錠機能を有し施錠が、スマートフォン２０に表示されたＱＲコード（登録商標）を読み取ることにより解錠可能なように形成されている。また、自動車の鍵を含む一または複数の物品を収納する携帯鍵箱と、呼気からのア
ルコールを検知しアルコール検知情報を携帯端末に送信するアルコール検知器を有している。アルコール検知器は、呼気からのアルコールを検知し、検知されたアルコール検知情報をスマートフォン２０に送信し、アルコール検知情報から予め定められた値未満の場合に、ＱＲコード（登録商標）を用いて携帯鍵箱の電磁ロックが解錠され、アルコール検知情報から予め定められた値以上の場合に、ＱＲコード（登録商標）を用いることなく携帯鍵箱の電磁ロックが解錠されないことを特徴としている。
【００２０】
以下、酒気帯び運転抑止システム１００の使用の一例を説明する。自動車の鍵Ｋを含む一または複数の物品が収納され、電磁ロック１０ｃが施錠された状態の携帯鍵箱１０から、自動車を運転するために、自動車の鍵Ｋ、ＥＴＣカードなどが収納されている携帯鍵箱１０を解錠してこれらを取得したい場合、まず、アルコール検知器３０で酒気帯びか否か検査する。
【００２１】
アルコール検知器３０は、息を吹きかけることで、アルコールの度合いを検知して表示し且つアルコール検知情報を出力し、この出力されたアルコール検知情報は、有線または無線でスマートフォン２０に送信される。なお、スマートフォン２０とアルコール検知器３０の接続方法は有線ケーブルを用いた接続、既存の技術であるBluetooth（登録商標）を用いた無線接続、赤外線接続など適宜最適な方法を用いるとよい。また、アルコール検知器３０については、一般的な周知技術であり詳細な説明は省略する。
【００２２】
また、スマートフォン２０に記憶されているアルコール検知情報は、無線、例えば、インターネットを介して管理部門の情報処理装置に送信されるような構成にしてもよい。このような構成において、携帯鍵箱１０は、物理的な鍵、つまり物理的な鍵で施錠及び解錠することができる構成であり、この例において、物理的な鍵は、上記の管理者に管理されており、スマートフォン２０から管理部門の情報処理装置に送信されたアルコール検知情報が、予め定められた値以上であり、スマートフォン２０では、電磁ロック１０ｃが解錠できない場合において、管理部門の管理者が、物理的な鍵で携帯鍵箱を解錠し、例えば、代わりの人に代替運転をさせることを可能にし、業務の遅滞を最小限に留めることができる。
【００２３】
上記のこの考案は、研究に研究を重ねて作り上げたものであり、持ち運び可能であり点呼場所を選ぶ必要のない始業セット携帯鍵箱としての携帯鍵箱１０を開発し、この携帯鍵箱１０を用いた酒気帯び運転抑止システム１００を構築したものである。また、この携帯鍵箱１０を用いた酒気帯び運転抑止システム１００は、携帯鍵箱１０の開錠を、スマートフォン２０などのシステムで行うことより、より安心、安全、確実な点呼システムとすることができ、遠隔地点呼の見える化も同時に実現することができるものである。従来のシステムでも遠隔地点呼は可能であったが、車両の鍵はドライバーが持っている為、アルコールチェックが基準値以上であっても運転ができる可能性があり遠隔地点呼システムとして脆弱性を有していた。このような脆弱性に対して、本考案の酒気帯び運転抑止システム１００は、携帯鍵箱１０に収納されている自動車の鍵は、アルコールが基準値以上であれば解錠されないことより、遠隔地であっても、より厳格な点呼システムとすることができる。また、点呼が自主管理で行うことができることより、例えば、白ナンバードライバーへの管理に適用することが可能なものとなっている。さらに、アルコール検知器でのチェック時にスマートフォン２０のカメラで顔写真、運転免許証などを撮影することにより、なりすましも防止することができる。
【００２４】
上記の本考案の酒気帯び運転抑止システム１００の特徴は、整理すると、自主点呼が必要な安心・安全・正確性が求められる運転現場、例えば、業務用車両での遠隔地点呼現場、個人タクシー等の組織化しにくい運転現場、国・地方自治体等の白ナンバー所有車の運転現場、幼・保育園児、ディサービスなどの白ナンバーで人員輸送の運転現場、スポーツクラブ、ゴルフクラブ、保養施設等、送迎バスの運転現場、大手会社地方支店、営業所の社有車・社有看板車の運転現場、コンビニ、宅配ピザなどの三輪バイクや自転車の運転現場などにおいて適用することができる優れたものである。
【００２５】
さらに、近年、益々強化されるコーポレートガバナンス上、業務用緑ナンバー車はもとより、業務用・自家用問わず白ナンバーの営業車においても、如何なる組織、団体問わず、酒気帯び運転の防止は必須の課題である。また、白ナンバーにおける現場は、運転前のアルコールチェックは保有台数５台以下について法的に規制されてないが、ガバナンスの点から考えると少なくても自主的なルールなどを有していないと、万が一の事故の時に大きな問題となる可能性を秘めている。このように酒気帯び運転の防止は、自社への効果はもとより、社会的な必要性を有しており、本考案による遠隔地及び自主点呼システムによる改善は、アルコール検知器の情報をスマートフォンアプリで基準値を判定し、基準値外であれば、携帯鍵箱の蓋が開かず、収納されている自動車の鍵Ｋが取れず、始業ができないシステムとなっている。さらに、本考案によると、業務用緑ナンバーの点呼システムにおいても、個人タクシー、赤帽などの独立系事業主、出張時遠隔地点呼、自社車庫外から直行する場合の点呼などルールの脆弱性が考えられる部分を補完することができ、また、白ナンバーの自主点呼においても、上記のとおり、より確実な安全性を確保することができるという顕著な効果を有している。
【００２６】
本考案は、酒気帯び運転を抑制するためにＱＲコード（登録商標）を用いていることが特徴であり、機能としてスマートフォンに出力されたＱＲコード（登録商標）をかざし開錠される携帯鍵箱といえるものであり、アルコール検知器でチェックした情報を接続しているクラウド経由で第三者に結果を伝達することもできる。また、セルフ(単独)の場合には、自分のスマートフォンに結果をだすこともできる。例えば、第三者はアプリを立ち上げ、結果において呼気が、０．０５ｍｇ／Ｌ未満であれば、第三者のスマートフォンに出力されるＱＲコード（登録商標）をかざして携帯鍵箱を開錠し自動車の鍵を取得し、本人に渡し運転を可能とする。また、例えば、結果が０．０５ｍｇ／Ｌ以上であればスマートフォンにＱＲコード（登録商標）は出力されず携帯鍵箱は開錠できず運転が不可能となる。本考案の携帯鍵箱１０がスマートフォンのＱＲコード（登録商標）を読み取り解錠するという構成は優れた効果を有するものである。
【００２７】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２８】
また、本考案の携帯鍵箱の大きさや形状、素材の材質、厚さ、重さなどについては多様な実施形態が可能であり、また、酒気帯び運転抑止システムについても多様な実施形態が可能であり、本実施形態と異なる形態による実施は、本考案の技術的範囲に含まれる。
【符号の説明】
【００２９】
１００  酒気帯び運転抑止システム
１０    携帯鍵箱
１０ａ  本体
１０ｂ  蓋
１０ｃ  電磁ロック
１０ｄ  シールド
Ｋ      鍵
【図１】
0003228214.tif 000003
【図２】
0003228214.tif 000004
【図３】
0003228214.tif 000005
【手続補正書】
【提出日】令和2年7月11日(2020.7.11)
【手続補正１】
【補正対象書類名】実用新案登録請求の範囲
【補正対象項目名】全文
【補正方法】変更
【補正の内容】
【実用新案登録請求の範囲】
【請求項１】
一または複数の物品を収納し、前記収納された前記一または複数の物品を管理する携帯鍵箱であって、
本体と、蓋と、前記本体と前記蓋を開閉する電磁ロックとを有し、
前記電磁ロックは、前記本体と前記蓋を施錠する施錠機能を有し、
前記電磁ロックは、前記施錠されている状態で前記施錠を、スマートフォンに表示されたＱＲコード（登録商標）を読み取ることにより解錠可能なように形成されていることを特徴とする携帯鍵箱。
【請求項２】
前記一または複数の物品は、自動車の鍵を含んでおり、
前記本体の内部と前記蓋の内部は、電磁波を遮蔽する部材で形成されたシールドで覆われていることを特徴とする請求項１に記載の携帯鍵箱。
【請求項３】
請求項２に記載の本体と、蓋と、シールドと、前記本体と前記蓋を施錠する施錠機能を有し前記施錠が、スマートフォンに表示されたＱＲコード（登録商標）を読み取ることにより解錠可能なように形成されており、自動車の鍵を含む一または複数の物品を収納する携帯鍵箱と、
呼気からのアルコールを検知しアルコール検知情報を携帯端末に送信するアルコール検知器と、を有し、
前記アルコール検知器は、呼気からのアルコールを検知し、前記検知されたアルコール検知情報を前記スマートフォンに送信し、
前記アルコール検知情報が予め定められた値未満の場合に、ＱＲコード（登録商標）を用いて前記携帯鍵箱の電磁ロックが解錠され、
前記アルコール検知情報が予め定められた値以上の場合に、ＱＲコード（登録商標）を用いることなく前記携帯鍵箱の電磁ロックが解錠されないことを特徴とする酒気帯び運転抑止システム。